(57)【要約】      （修正有）【課題】ユーザーがマニュアル選択手段を操作しているときにストライク機構のリリースを防いだりチューンの再生を防止する。【解決手段】ムーブメントによって制御されるパッシングストライク発動歯止め３と、又はユーザーが操作可能なリピーター歯止め４と、連係する移動止めラチェット２を有するストライク機構１００である。ストライク機構１００は、針セッティングステム８、ストライク又はチューン選択用のメイン制御メンバー１０によって、又は止め機構によって、操作可能である反転レバー７の作用の下で歯止め３、４がラチェット２にアクセスすることを防ぐ分離レバー６を有し、ストライクモード又はチューン選択の間にリリースを防ぐ安全デバイスを有している。また、リリース防止レバー２０を有しており、その回転によって、メイン制御メンバー１０に対する作用の下で、移動止めラチェット２から歯止め３、４を離す。【選択図】図１
2019207228.tif 000002
【特許請求の範囲】
【請求項１】
ムーブメント（５００）と、及び移動止めラチェット（２）を担持しているストライク駆動車セット（１）を有するストライク機構（１００）とを有する計時器（１０００）であって、
前記移動止めラチェット（２）は、前記ムーブメント（５００）によって制御される少なくとも１つのパッシングストライク発動歯止め（３）又はユーザーによって操作されるオンデマンドのリリースレバー（５）によって制御されるリピーター歯止め（４）と連係するように構成しており、
前記ストライク機構（１００）は、ストライク反転レバー（７）の作用の下で前記移動止めラチェット（２）への前記歯止め（３、４）のアクセスを防ぐことができるストライク分離レバー（６）を有し、
前記ストライク反転レバー（７）は、前記ムーブメント（５００）が備える針セッティングステム（８）によって、又は前記ストライク機構（１００）が備えるストライク又はチューン選択用のメイン制御メンバー（１０）によって、又はエネルギー資源が不十分である場合には前記ストライク機構（１００）が備える止め機構によって、操作することができ、
前記ストライク機構は、ストライク機能又はチューンを選択している間にリリースを防ぐ安全デバイスを有しており、
前記安全デバイスは、前記ムーブメント（５００）又はユーザーによるいずれのストライク機能のリリースをも防ぐように構成しており、リリース防止レバー（２０）を有しており、
このリリース防止レバー（２０）の回転によって、ストライク機能又はチューン選択がユーザーによって前記メイン制御メンバー（１０）に対して行われると、前記移動止めラチェット（２）からいずれの前記歯止め（３、４）も離れ、
前記ストライク機構（１００）は、ユーザーによるアクションがないときに固有な待機位置に前記メイン制御メンバー（１０）を戻す弾性戻し手段を有する
計時器（１０００）。
【請求項２】
前記メイン制御メンバー（１０）は、制御ピン（１２）を担持している回転式のメインオペレーションレバー（１１）を有しており、
この制御ピン（１２）は、メインオペレーションばね（９）の作用の下で、リリースオペレーションを可能にする第１の角トラベルにおいて前記リリース防止レバー（２０）の第１の面（２３）と、そして、前記ストライク機構をリリースするいずれのオペレーションも防ぐ前記リリース防止レバー（２０）の係合解除用の第２の角トラベルにおいて前記リリース防止レバー（２０）の第２の面（２４）と、当接係合するように構成しており、
前記リリース防止レバー（２０）は、リリース防止レバーばね（２９）の戻し力によって前記制御ピン（１２）の方に押される
請求項１に記載の計時器（１０００）。
【請求項３】
前記制御ピン（１２）は、前記メイン制御メンバー（１０）の前記待機位置において、前記第１の面（２３）に対向しており、
前記制御ピン（１２）は、この第１の面（２３）から非ゼロの第１の安全距離Ｓ１離れている
請求項２に記載の計時器（１０００）。
【請求項４】
前記制御ピン（１２）は、前記メインオペレーションレバー（１１）のアイドルトラベルに対応する前記第１の角トラベルの間に、前記リリース防止デバイスと係合するように構成している前記第１の面（２３）に載っている
請求項２又は３に記載の計時器（１０００）。
【請求項５】
前記第２の角トラベルの間に、前記制御ピン（１２）は、ユーザーによって前記メイン制御メンバー（１０）に力が与えられているときに前記第２の面（２４）に載っており、
これによって、前記リリース防止安全機能が維持される
請求項２〜４のいずれかに記載の計時器（１０００）。
【請求項６】
前記リリース防止レバー（２０）の前記第２の面（２４）は、前記第１の面（２３）に近接しており、
前記第２の面（２４）は、この第１の面（２３）からエッジ又は中間的平坦部分によって離れており、
これらの交差位置は、前記メイン制御メンバー（１０）に対するアクションの間に、前記第１の角トラベルの端に、そして、いずれのストライク機能のリリースをも防ぐ安全デバイスの係合に、対応している
請求項２〜５のいずれかに記載の計時器（１０００）。
【請求項７】
前記第１の面（２３）は、実質的に平坦であり、実質的に円筒状である前記第２の面（２４）からエッジによって分かれており、
前記第２の面（２４）は、前記安全デバイスがアクティブ化されているときに前記メインオペレーションレバー（１１）の回転軸と同軸である
請求項６に記載の計時器（１０００）。
【請求項８】
前記第１の面（２３）と前記第２の面（２４）は、実質的に円筒状であり実質的に前記メインオペレーションレバー（１１）の回転軸を中心としている２つの面であり、その一方の面は、他方の面よりも遠くにあり、互いに中間的平坦部分によって分かれており、
前記第２の面（２４）は、前記安全デバイスがアクティブ化されているときに、前記メインオペレーションレバー（１１）の回転軸と同軸である
請求項６に記載の計時器（１０００）。
【請求項９】
前記ストライク反転レバー（７）は、前記リリース防止レバー（２０）が備える支持面（２２）に当接するように動くように構成している偏心機構（７１）を有しており、
これによって、前記ストライク反転レバー（７）の回転トラベルを精密調整し、前記移動止めラチェット（２）からの各歯止め（３、４）の係合解除を確実にする
請求項２〜８のいずれかに記載の計時器（１０００）。
【請求項１０】
前記メイン制御メンバー（１０）の前記待機位置において、前記偏心機構（７１）は、前記支持面（２２）に対向しており、
前記偏心機構（７１）は、前記支持面（２２）から非ゼロの第２の安全距離Ｓ２離れている
請求項９に記載の計時器（１０００）。
【請求項１１】
前記第１の角トラベルの第１の部分の間に、前記偏心機構（７１）は、前記支持面（２２）に対向しており、
前記偏心機構（７１）は、前記支持面（２２）から非ゼロの第２の安全距離Ｓ２離れている
請求項９又は１０に記載の計時器（１０００）。
【請求項１２】
前記第１の部分に続く前記第１の角トラベルの第２の部分の間に、前記偏心機構（７１）は、前記支持面（２２）に載っている
請求項１１に記載の計時器（１０００）。
【請求項１３】
前記第２の角トラベルの間に、ユーザーによって前記メイン制御メンバー（１０）に力が与えられつつ、前記偏心機構（７１）は前記支持面（２２）に載っている
請求項９〜１２のいずれかに記載の計時器（１０００）。
【請求項１４】
前記メイン制御メンバー（１０）は、カラム車（３０）を有しており、
前記メインオペレーションレバー（１１）は、カラム車ジャンパー（３２）によって適切な位置に保持される前記カラム車（３０）の歯（３１）を引くように構成しているフック（１３）を有しているメインカラム車オペレーションレバーである
請求項２〜１３のいずれかに記載の計時器（１０００）。
【請求項１５】
前記第１の角トラベルの前記第１の部分は、待機位置と、前記フック（１３）と前記カラム車（３０）の間の第１の接触位置の間のアイドルトラベルに対応する
請求項１１又は１４に記載の計時器（１０００）。
【請求項１６】
前記ストライク反転レバー（７）は、その角位置に応じて、ストライク機構のオペレーションが有効なモード又は無効なモードをユーザーに見えるように表示を制御するように構成している
請求項１〜１５のいずれかに記載の計時器（１０００）。
【請求項１７】
前記ストライク機構（１００）は、時間を自動的に又はオンデマンドでストライクするクオーターラック又は分ラック（９０）である少なくとも１つの制御ラックを有しており、前記制御ラックに関連づけられている少なくとも１つのカム（９８）を有しており、
このカム（９８）は、ストライク機能又はチューンが進行中であるときに、前記メイン制御メンバー（１０）がストライクモード又はチューンを選択するように回転することを防ぐように構成している
請求項１〜１６のいずれかに記載の計時器（１０００）。
【請求項１８】
前記ストライク機構（１００）は、リピーター歯止め（４）を前記移動止めラチェット（２）と連係させるようにユーザーによって操作可能な前記オンデマンドのリリースレバー（５）を有するミニッツリピーター又は別のオンデマンドの音響的表現機構を有している
請求項１〜１７のいずれかに記載の計時器（１０００）。
【請求項１９】
携行型時計である
請求項１〜１８のいずれかに記載の計時器（１０００）。
【発明の詳細な説明】
【技術分野】
【０００１】
本発明は、ムーブメントと、及び移動止めラチェットを担持しているストライク駆動車セットを有するストライク機構とを有する計時器に関する。前記移動止めラチェットは、前記ムーブメントによって制御される少なくとも１つのパッシングストライク発動歯止め又はユーザーによって操作されるオンデマンドのリリースレバーによって制御されるリピーター歯止めと連係するように構成している。前記ストライク機構は、ストライク反転レバーの作用の下で前記移動止めラチェットへの前記歯止めのアクセスを防ぐことができるストライク分離レバーを有する。前記ストライク反転レバーは、前記ムーブメントが備える針セッティングステムによって、又は前記ストライク機構が備えるストライク又はチューン選択用のメイン制御メンバーによって、又はエネルギー資源が不十分である場合には前記ストライク機構が備える止め機構によって、操作することができる。
【０００２】
本発明は、計時器のための音響表示機構の分野、特に、自動的又はオンデマンドで、ストライク機能を実行したりチャイム又はチューンを再生するストライク機構及び／又はミュージックボックスに関する。特に、本発明は、ストライク機構及び／又はチューン再生機構を備えた機械式ムーブメントを有するミュージカルウォッチの分野に関する。
【背景技術】
【０００３】
計時器用のストライク機構は、大きな複雑機構であり、その部品の数や運動の複雑さだけではなく、可能なオペレーションモードの観点でも複雑である。ミニッツリピーターのような付加的な複雑機構を備える腕時計や懐中時計のような携行型時計においては、安全特性を管理することは非常に複雑であり、パッシングストライク機能を止めてミニッツリピーターを再生することを可能にしたり、反対に、パッシングストライクが近づくにしたがってミニッツリピーターがリリースされることを止めて、リピーターサイクルが開始し始めたときにミニッツリピーターが再びリリースされることを防ぎ、ストライク機能などの間に稼働機構に対する調整を防ぐことは難しい。なぜなら、このような安全手段は概して非常に多くの数のアイソレーターを用いるためである。このことによって、機構及び干渉のリスクがさらに複雑になってしまう。
【０００４】
この課題は、別のチューン、特に、別のチャイムで、異なるストライクモードで動作することができるような計時器において、あるいはこの計時器がストライクモード、チューン又はゴングを選択する手段を有する場合には異なるゴングのセットで動作できるような計時器において、さらに複雑になる。ストライク機構や音楽機構の部品だけではなくこの同様に複雑な選択機構の部品の完全な安全性を確実にすることが問題である。機構、特に、ギャザリングパレット、における応力の蓄積を防ぎ、特に、クオーターラックとギャザリングパレットの間のいずれの衝突をも防ぐことが必要である。
【０００５】
同じ出願人による欧州特許出願ＥＰ２９４７５２３Ｂ１、ＥＰ３０９６１８９Ｂ１、ＥＰ３１３６１８８Ｂ１及びスイス特許出願ＣＨ０１７１８／１６、ＣＨ００９６４／１７、ＣＨ００９６５／１７、ＣＨ００９６６／１７は、様々な観点からこの困難な課題に既に取り組んでいる。この課題は、一方では、ユーザーが、不適切な時点においてストライク機能を選択又はリリースしたりチューンしたりする行為を開始することを防ぐことであり、他方では、ユーザーが計時器のマニュアル制御手段のいずれかに対してアクションを行っているときに計時器機構がストライク又はチューンのサイクルを開始することを防ぐことであるために困難である。具体的には、同じ出願人によるスイス特許出願ＣＨ０１４２２／１７は、ガバナーを備えるストライク機構用の針セッティング機能のための安全機構を開示している。
【発明の概要】
【発明が解決しようとする課題】
【０００６】
本発明は、特に、ユーザーがマニュアル選択手段を操作しているときに、ストライク機構のリリースを防いだりチューンの再生を防いだりすることを提案するものである。
【課題を解決するための手段】
【０００７】
このために、本発明は、請求項１に記載の計時器に関する。
【０００８】
添付図面を参照しながら下記の詳細な説明を読むことで、本発明の他の特徴及び利点が明らかになるであろう。
【図面の簡単な説明】
【０００９】
【図１】図１〜２０は、本発明に係る同じストライク機構の部分的な概略図を正面図、背面図、及びリリース防止レバーの２つの端における詳細な端面図である４つの図の群ごとに示している。このストライク機構は、異なる順次的な時点におけるストライクモード及び／又はチューンを選択するマニュアル制御メンバーを備える。図１〜４においては、マニュアル制御メンバーが動作していない待機位置にある。図１は、正面図である。
【図２】裏面図である。
【図３】一方の端の端面図である。
【図４】他方の端の端面図である。
【図５】図５〜１２においては、第１の角トラベルを示している。図５〜８は、第１の角トラベルの第１の部分におけるマニュアル制御メンバーに対する圧力の開始時におけるものである。図５は、正面図である。
【図６】裏面図である。
【図７】一方の端の端面図である。
【図８】他方の端の端面図である。
【図９】図９〜１２は、第１の角トラベルの第２の部分におけるマニュアル制御メンバーに対して継続的な圧力が与えられているときのものである。図９は、正面図である。
【図１０】裏面図である。
【図１１】一方の端の端面図である。
【図１２】他方の端の端面図である。
【図１３】図１３〜２０は、第２の角トラベルを示している。図１３〜１６は、安全デバイスが係合している位置におけるアイドルトラベルの端におけるものである。図１３は、正面図である。
【図１４】裏面図である。
【図１５】一方の端の端面図である。
【図１６】他方の端の端面図である。
【図１７】図１７〜２０、マニュアル制御メンバーに圧力が与えられているトラベルの端におけるものである。このときに、ストライクモード又はチューンが変わる。図１７は、正面図である。
【図１８】裏面図である。
【図１９】一方の端の端面図である。
【図２０】他方の端の端面図である。
【図２１】図２１〜２４は、待機位置への戻りを示している。
【図２２】図２１〜２４は、待機位置への戻りを示している。
【図２３】図２１〜２４は、待機位置への戻りを示している。
【図２４】図２１〜２４は、待機位置への戻りを示している。
【図２５】図２５〜３８はそれぞれ、ストライク機構の主要構成要素の概略的な斜視図、背面図及び正面図を示している。図２５は、ストライク分離レバーを示している。
【図２６】移動止めラチェットを有する組み立てられた駆動車セットを示している。
【図２７】ムーブメントによるストライク機構のリリースのためにパッシングストライク発動歯止めを有する中間的なリリースレバーを示している。
【図２８】グランドソヌリ係合星形車を示している。
【図２９】ユーザーによるストライク機構のリリースのためにリピーター歯止めを担持しているオンデマンドのリリースレバーを示している。
【図３０】係合解除ヨークを示している。
【図３１】ストライク反転レバーを示している。
【図３２】係合ヨークを示している。
【図３３】カラム車を示している。
【図３４】カラム車ジャンパーを示している。
【図３５】メインオペレーションレバー、特に、カラム車オペレーションレバー、を示している。
【図３６】本発明に係るリリース防止レバーを示している。
【図３７】カラム車制御ばねを示している。
【図３８】リリース防止レバーばねを示している。
【図３９】図２と同様な図であり、一点破線で断面の軌道を示している。
【図４０】図３９の一点破線における断面図である。
【図４１】図４０の詳細図である。
【図４２】図４２〜４９は、ストライク機構が備える分ラックとともに相補的な安全機構を示している平面図である。この安全機構は、ミニッツリピーターなどによってアクティブ化されるパッシングストライク又はストライク機能のオペレーションの間に選択が行われることを防ぐように意図されている。この相補的な安全機構は、分ラックに当接するように動きストライク選択ボルトを用いて連接されているように構成しているチューン選択防止レバーを有する。このストライク選択ボルトは、メインオペレーションレバーと連係するように構成している。    図４２は、ストライク機構が待機しており安全デバイスがリリースされる構成を示している。
【図４３】ストライク機能が進行中であり安全デバイスが係合している構成を示している。
【図４４】図４２と同様な図であり、機構をわかりやすく表示するために一部の部品については示していない。
【図４５】図４３と同様な図であり、機構をわかりやすく表示するために一部の部品については示していない。
【図４６】分ラックを示しており、これは、その回転軸と同心のパスを有し、このパスは、係合解除ランプによって中断されている。
【図４７】チューン選択防止レバーを示している。
【図４８】図３５のメインオペレーションレバーと連係するカムであるチューン選択ボルトを示している。
【図４９】前記チューン選択防止レバーを分ラックの方へと押すチューン選択防止レバーばねを示している。
【図５０】ムーブメントと、オンデマンドの音響表示機能のためのマニュアル制御メンバーと、及び本発明に係るストライク機構とを備える計時器を示しているブロック図である。
【発明を実施するための形態】
【００１０】
本発明は、計時器１０００に関し、特に、ムーブメント５００及びストライク機構１００を有する携行型時計に関する。また、この計時器１０００は、ミュージックボックスであることができ、また、ミュージックボックスを有することができる。
【００１１】
「Les montres compliquees（複雑腕時計へのガイド）」という題のFrancois LECOULTREによる文献（1985, ISBN 2-88175-000-1）は、９７〜２０５ページの異なる章において、ストライク機構を形成する以下の基礎的な機構について詳細に説明している。
−  リピート腕時計
−  古典的なリピート腕時計
−  現代的なクオーターリピーター
−  単純化されたリピーター
−  ハーフクオーターリピーター、
−  ブレゲ式ハーフクオーターリピーター
−  ５分リピーター
−  ミニッツリピーター
−  クロックウォッチ
【００１２】
必要でなければ、ここではこれらの基礎的な機構については詳細に議論しない。なぜなら、ストライク機構の専門家であれば、この遍在する参考文献、特に、前記の最後の２つの章において、前記のような機構の構成を見つける方法がわかるからである。
【００１３】
ストライク機構１００は、伝統的な形態で、少なくとも１つの基準車セット、好ましくは、複数の基準車セットを有する。これは、時間基準スネール及び／又は星形車、そして、特に、分スネール、クオータースネール及び時スネールを有する。
【００１４】
このストライク機構１００は、さらに、特に、文献「Les montres compliquees」における「クロックウォッチ」についての章にて説明されている少なくとも１つのストライク駆動車セット１を有しており、これは、この本の図４０に示されている。このストライク駆動車セット１は、伝統的に、リリースラチェット２とラックピニオンを有する。
【００１５】
ストライク機構１００は、基準車セットを駆動するムーブメント５００と連係し、図２８に、このムーブメント５００の特定の出力をムーブメントによってストライク機構をリリースする星形車の形態（これに限定されない）で示している。この星形車は、筒かなに嵌められ、４本の歯があり、これによって、１５分ごとに、ムーブメントによるリリースのために中間的レバーを持ち上げる。この中間的レバーは、以下において、ギャザリングパレットと呼ぶ。
【００１６】
このように、ストライク駆動車セット１は、移動止めラチェット２を担持する。これは、同じ出願人によるスイス特許出願ＣＨ００９６４／１７において説明されているように、特に、図２８の星形車と図３２の係合ヨーク７３の間の連係を介して、ムーブメント５００によって制御される少なくとも１つのパッシングストライク発動歯止め３と連係し、あるいは同じ出願人による同じスイス特許出願ＣＨ００９６４／１７において説明されているように、ミニッツリピーターなどを制御するようにユーザーによって操作可能な図２９に示しているオンデマンドのリリースレバー５によって制御されるリピーター歯止め４と連係するように構成している。
【００１７】
同じ出願人によるスイス特許出願ＣＨ００９６４／１７、ＣＨ００９６５／１７、ＣＨ００９６６／１７に記載されているように、ストライク機構１００は、ストライク反転レバー７の作用の下で、このような歯止め３、４が移動止めラチェット２にアクセスすることを防ぐことができるストライク分離レバー６を有する。このストライク反転レバー７は、ムーブメント５００が備える針セッティングステム８によって、ストライク機構１００が備えるストライク機能又はチューンを選択するメイン制御メンバー１０によって、又はストライク機構１００にあるエネルギー資源が不十分である場合の止め機構によって、操作可能である。このような止め機構は、ストライクのパワーリザーブ、特に、ストライク用バレルにおけるパワーリザーブ、が消耗していたり不十分であったりするときにいずれのストライク機能の開始をも防ぐように構成しており、この止め機構は、ここでは詳細に説明しないが、同じ出願人によるスイス特許出願ＣＨ００９６４／１７の主題を形成している。
【００１８】
本発明によると、ストライク機構は、ストライク機能又はチューンの選択の間にリリースを防ぐデバイスを有しており、これは、ムーブメント５００又はユーザーによるいずれのストライク機能のリリースをも防ぐように構成している。このリリース防止デバイスは、リリース防止レバー２０を有しており、このリリース防止レバー２０の回転は、ユーザーがメイン制御メンバー１０に対してストライク機能又はチューン選択を行うと、すべての歯止め３、４を移動止めラチェット２から離す。ストライク機構１００は、弾性戻し手段を有しており、これは、ユーザーによるアクションがないときに、メイン制御メンバー１０を固有な待機位置にに戻すように構成している。
【００１９】
特に、メイン制御メンバー１０は、制御ピン１２を担持している回転式のメインオペレーションレバー１１を有する。この制御ピン１２は、メインオペレーションばね９の作用の下で、リリースオペレーションを可能にする第１の角トラベルにあるリリース防止レバー２０の第１の面２３と、そして、ストライク機構をリリースするいずれのオペレーションも防ぐリリース防止レバー２０の第２の係合解除角トラベルにあるリリース防止レバー２０の第２の面２４と、当接係合するように構成している。リリース防止レバー２０は、リリース防止レバーばね２９の戻し力によって制御ピン１２の方に押される。ムーブメント５００は、リリース防止レバー２０が待機位置にあるときにリリース防止レバー２０のための支持位置としてはたらく固定ピン２８を有する。
【００２０】
図３に示しているように、メイン制御メンバー１０の待機位置では、制御ピン１２は第１の面２３に対向しており、制御ピン１２は、この第１の面２３から、非ゼロの第１の安全距離Ｓ１離れている。
【００２１】
第１の角トラベルの間、図７に示しているように、制御ピン１２は第１の面２３に載っており、ここで、リリース防止レバー２０がメイン制御メンバー１０のプッシャーに対するアクションの開始時に、ムーブメント５００の固定ピン２８に載り、一方、図１１では、制御ピン１２は第１の面２３にまだ載っているが、リリース防止レバー２０はもはや固定ピン２８に載っていない。
【００２２】
第2の角トラベルの間、図１５及び１９に示しているようにユーザーによってメイン制御メンバー１０に力が与えられつつ、制御ピン１２は第２の面２４に載っている。ここでは、リリース防止レバー２０は固定ピン２８から離れている。
【００２３】
特に、リリース防止レバー２０の第２の面２４は第１の面２３に近接しており、第２の面２４は、この第１の面２３からエッジ又は中間的平坦部分によって離れており、その交差は、メイン制御メンバー１０に対して作用しているときに、第１の角トラベルの端及び安全デバイスの係合に対応しており、これによって、いずれのストライク機能のリリースをも防ぐ。
【００２４】
図示している変種（これに限定されない）において、第１の面２３は実質的に平坦であり、エッジによって実質的に円筒状の第2の面２４から離れている。第２の面２４は、安全デバイスがアクティブ化されているときに、メインオペレーションレバー１１の回転軸と同軸である。
【００２５】
図示していない別の変種において、第１の面２３と第２の面２４は、２つの実質的に円筒状の面であり、これらは、実質的にメインオペレーションレバー１１の回転軸を中心としており、一方の面は、他方の面よりも離れており、これらの面は、中間的平坦部分によって分離している。同様に、第２の面２４は、安全デバイスがアクティブ化されているときに、メインオペレーションレバー１１の回転軸と同軸である。
【００２６】
当然、他の構成も可能であり、これは、特に、メイン制御メンバー１０の近傍において利用可能な空間に依存し、図示している変種において、ユーザーが操作するプッシャー（図示せず）が作用するメインオペレーションレバー１を備える。
【００２７】
好ましくは、ストライク反転レバー７は偏心機構７１を有しており、これは、ストライク反転レバー７の回転トラベルの精密調整のためにリリース防止レバー２０が備える支持面２２に当接するように動き、移動止めラチェット２に対して各歯止め３、４の係合解除を確実にするように構成している。
【００２８】
制御ピン１２がリリース防止レバー２０の第１の面２３と接触すると、この第１の面２３は、その支持面２２を介して偏心機構７１と接触する。
【００２９】
この安全デバイスは、メインオペレーションレバー１１のアイドルトラベルの間に以下のようにアクティブ化される：制御ピン１２が第１の面２３上を動く間、安全距離は徐々に第２の安全距離Ｓ２の値から値ゼロに変わり、ストライク反転レバー７は、ストライク分離レバー６を駆動するようにそのトラベルを開始する。このストライク分離レバー６は、２つの歯止め３、４を分離し、これらが移動止めラチェット２から特定の距離離れるように保持する。
【００３０】
ユーザーがメインオペレーションレバー１１に対してアクションを行うことによってチューン選択をするときに、制御ピン１２は、第１の面２３からリリース防止レバー２０の第２の面２４へと動く。したがって、メインオペレーションレバー１１は、その支持面２２を介して、ストライク反転レバー７の偏心機構７１と接触し、そして、この偏心機構７１は、ストライク分離レバー６との接続によって、歯止め３、４を分離する。
【００３１】
図示していない別の変種において、ストライク反転レバー７は、支持面２２と連係するように構成している単純なピンを担持している。図示していない別の変種において、ストライク反転レバー７には、リリース防止レバー２０のピン又はムーブメント５００のプレートに固定されたピンと連係するように構成している開口が形成されている。
【００３２】
特に、メイン制御メンバー１０の待機位置において、図４に示しているように、偏心機構７１は、支持面２２に対向しており、偏心機構７１は、この支持面２２から、非ゼロの第２の距離Ｓ２離れている。
【００３３】
第１の角トラベルの第１の部分の間に、この偏心機構７１は支持面７１に対向しており、メイン制御メンバー１０のプッシャーに対するアクションの開始時において、図７の時点と同じ時点にて、図８に示しているように、この偏心機構７１は、この支持面７１から、非ゼロの第２の距離Ｓ２離れており、一方で、制御ピン１２は第１の面２３に載っており、リリース防止レバー２０は固定ピン２８に載っている。
【００３４】
図１１における時点と同じ時点において、図１２に示しているように、第１の部分と連続している、第１の角トラベルの第２の部分の間に、偏心機構７１が支持面２２に載っている。
【００３５】
第２の角トラベルの間に、図１５の時点と同じ時点において、図１６に示しているように、ユーザーによってメイン制御メンバー１０に力が与えられつつ、偏心機構７１は支持面２２に載っている。図１５は、アイドルトラベルの端及び安全デバイス係合段階の端に対応している。図１９の時点と同じ時点における図２０は、プッシャートラベルの端に対応しており、このとき、例えば、チューン又はストライクモードの変更、ゴングの選択などの形態で、選択が行われる。この構成は、機構のいずれの損傷をも防ぐ。
【００３６】
図面に示したバージョン（これに限定されない）では、ストライク又はチューン選択用のメイン制御メンバー１０は、カラム車３０を有する。メインオペレーションレバー１１は、この場合、カラム車ジャンパー３２によって適切な位置に保持されるカラム車３０の歯３１を引くように構成しているフック１３を有するメインカラム車オペレーションレバーである。このとき、メインオペレーションばね９は、そのポジショニングのために少なくとも１つのピン９３及び９４を有するメインカラム車オペレーションばねである。同じ出願人による欧州特許ＥＰ３０９６１８９Ｂ１及びＥＰ３１３６１８８Ｂ１は、このようなオペレーションレバーと組み合わさったこのようなカラム車のオペレーションについて説明している。
【００３７】
第１の角トラベルの間に、リリース防止レバー２０の第１の面２３に制御ピン１２が載っており、この第１の角トラベルは、メインカラム車オペレーションレバー１１のアイドルトラベルに対応している。すなわち、このメインカラム車オペレーションレバー１１は、まだカラム車３０と接触していない。
【００３８】
本発明に係る安全デバイスと係合するのは第１の面２３のみである。リリース防止レバー２０の第２の面２４によって、この安全デバイスがメインカラム車オペレーションレバー１１の制御ピン１２の続くトラベルの間にアクティブであり続けることが可能になる。
【００３９】
図示していない他の変種においては、カラム車を代替するタイプのセレクターを有することができ、この場合、フックは、このような用途に適している制御メンバーによって置き換えられる。特に、カムセレクターを実装したり、クロノグラフにおけるようなスライドピースセレクターを実装したりすることができる。このような状況で、同じ出願人による欧州特許ＥＰ２９４７５２３Ｂ１は、チューン選択手段を示している。同じ出願人によるスイス特許出願ＣＨ００９６４／１７、ＣＨ００９６５／１７、ＣＨ００９６６／１７は、カムセレクターを有するストライクモードセレクターを開示している。
【００４０】
カラム車を備える図示した変種において、第１の角トラベルの第１の部分は、待機位置と、フック１３とカラム車３０の間の第１の接触位置との間のメインカラム車オペレーションレバー１１のアイドルトラベルに対応する。
【００４１】
特定の変種において、リリース防止レバー２０には、機械的な安全止めである支持半径２６がある。
【００４２】
特定の変種において、ストライク反転レバー７は、その角位置に応じて、動作しているストライクモードや動作していないストライクモードの、ユーザーが見ることができる、表示を制御するように構成している。この表示は、特に、ストライク反転レバー７と接触するように連接されておりムーブメントの制御ステム８と間接的に接続している係合解除ヨーク７８によって制御することができる。このオペレーションは、ストライク機構のために止め機構に関連する同じ出願人によるスイス特許出願ＣＨ００９６４／１７において説明されており、前記係合解除ヨーク７８は、開口を通して見られるシャッター、針などを担持しており、これによって、ストライク機能が利用可能であるか又は利用不能であるかについてユーザーに知らせる。
【００４３】
パッシングストライク機能又はミニッツリピーターが動作しているときに選択機構に対するアクションを防止するように機構を有利に構成することができる。このために、特に、ストライク機構１００は、伝統的な形態で、自動的又はオンデマンドで時間をストライクするクオーターラック又は分ラックである少なくとも１つの制御ラックを有しており、制御ラックに関連づけられた少なくとも１つのカムを有している。このカムは、同じ出願人による欧州特許ＥＰ３０９６１８９Ｂ１に説明されているように、ストライク機能又はチューンが進行中であるときに、ストライクモード又はチューンを選択するようにメイン制御メンバー１０が回転することを防ぐように構成している。これにおいて、いくつかのレベルがあるストライク機構の各レベルごとに、このようなカムは、対応するクオーターラックと連係して、前記クオーターラックがストライク機能又はチューンの再生を行うように動いているときに制御プッシャーに対するいずれのアクションをも防止する。具体的には、このようなカムは、ここで、好ましいことに、分ラックと連係し、ストライク機能又はチューンが実行されているときにメインオペレーションレバー１１を回転させてロックするように構成している。
【００４４】
図４２〜４９は、この相補的な安全機構が、ストライク機能のパフォーマンスの間に最後に再生される分ラック９０と連係するような有利なケースを示しており、この分ラック９０には、サイクルの終わりにてストライクレギュレーターを止める機能がある。この相補的な安全機構は、ミニッツリピーターなどによって開始されたパッシングストライク又はストライク機能が動作しているときに選択が実行されることを防ぐように意図されており、備えているくちばし部９７によって分ラック９０に当接するように動くように構成しているチューン選択防止レバー９５を有する。
【００４５】
図４２及び４４は、待機しているストライク機構を示しており、前記のくちばし部９７は、分ラック９０のパス９１０に載っている。このパス９１０は、分ラック９０の回転軸と同心である。チューン選択防止レバー９５には、ブリッジ上を回転するようにマウントされたチューン選択ボルト９８が備えるポスト９８０と連接するフォーク９６がある。このボルト９８はカムであり、フィンガー９９を有しており、このフィンガー９９は、ボルト９８の角位置に依存して、しきい値部材１５によって境界が形成されるメインオペレーションレバー１１に形成されたノッチ１５０内の位置、又は安全デバイスが係合している位置におけるしきい値部材１５に対向している位置を占めることができる。チューン選択防止レバーばね９５１は、アーム９５２を介して、チューン選択防止レバー９５を分ラック９０の方へと押す。
【００４６】
ストライク機能が実行されているときに、図４３及び４５において、分ラック９０は、これらの図における反時計回りに回転し、くちばし部９７はパス９１０を逸脱し、リリース傾斜ランプ９２０に沿って逃げ、フィンガー９９は、しきい値部材１５とは反対側に動き、そして同時に、チューン選択防止レバー９５とボルト２８が回転する。このボルト２８は、図において時計回りに回転する。
【００４７】
ブリッジのピン９９９は、ボルト９８の支持面９８１に対する障害となる。安全デバイスは係合し、ストライク機能が完了した後に分ラック９０がその待機位置へと戻るときにのみ再び係合解除される。欧州特許ＥＰ３０９６１８９Ｂ１は、この相補的な安全機構の代替的な変種を示している。
【００４８】
ストライク機構１００は、具体的には、ミニッツリピーター又は別のオンデマンドの音響表示を有しており、これは、リピーター歯止め４を移動止めラチェット２と連係させるようにユーザーによって操作可能なオンデマンドのリリースレバー５を有する。
【００４９】
変種の１つにおいて、本発明は、ムーブメント５００に加えることができるストライク機構のブリッジ上にある付加的な機構として構成しているストライク機構１００のみに関する。
【００５０】
本発明によって、同じ出願人による前記の他の特許出願及び特許において言及されている他の安全デバイスとは独立に、特に、スイス特許出願ＣＨ００９６４／１７の止め機構とは独立に、ストライクモード及び／又はチューン選択機能の全体的な安全性を確実にすることができる。
【符号の説明】
【００５１】
１  ストライク駆動車セット
２  移動止めラチェット
３  パッシングストライク発動歯止め
４  リピーター歯止め
５  オンデマンドのリリースレバー
６  ストライク分離レバー
７  ストライク反転レバー
８  針セッティングステム
９  メインオペレーションばね
１０  メイン制御メンバー
１１  メインオペレーションレバー
１２  制御ピン
１３  フック
２０  リリース防止レバー
２２  支持面
２３  第１の面
２４  第２の面
２９  リリース防止レバーばね
３０  カラム車
３１  歯
３２  カラム車ジャンパー
７１  偏心機構
９０  クオーターラック又は分ラック
９８  カム
１００  ストライク機構
５００  ムーブメント
１０００  計時器
【図１】
2019207228.tif 000003
【図２】
2019207228.tif 000004
【図３】
2019207228.tif 000005
【図４】
2019207228.tif 000006
【図５】
2019207228.tif 000007
【図６】
2019207228.tif 000008
【図７】
2019207228.tif 000009
【図８】
2019207228.tif 000010
【図９】
2019207228.tif 000011
【図１０】
2019207228.tif 000012
【図１１】
2019207228.tif 000013
【図１２】
2019207228.tif 000014
【図１３】
2019207228.tif 000015
【図１４】
2019207228.tif 000016
【図１５】
2019207228.tif 000017
【図１６】
2019207228.tif 000018
【図１７】
2019207228.tif 000019
【図１８】
2019207228.tif 000020
【図１９】
2019207228.tif 000021
【図２０】
2019207228.tif 000022
【図２１】
2019207228.tif 000023
【図２２】
2019207228.tif 000024
【図２３】
2019207228.tif 000025
【図２４】
2019207228.tif 000026
【図２５】
2019207228.tif 000027
【図２６】
2019207228.tif 000028
【図２７】
2019207228.tif 000029
【図２８】
2019207228.tif 000030
【図２９】
2019207228.tif 000031
【図３０】
2019207228.tif 000032
【図３１】
2019207228.tif 000033
【図３２】
2019207228.tif 000034
【図３３】
2019207228.tif 000035
【図３４】
2019207228.tif 000036
【図３５】
2019207228.tif 000037
【図３６】
2019207228.tif 000038
【図３７】
2019207228.tif 000039
【図３８】
2019207228.tif 000040
【図３９】
2019207228.tif 000041
【図４０】
2019207228.tif 000042
【図４１】
2019207228.tif 000043
【図４２】
2019207228.tif 000044
【図４３】
2019207228.tif 000045
【図４４】
2019207228.tif 000046
【図４５】
2019207228.tif 000047
【図４６】
2019207228.tif 000048
【図４７】
2019207228.tif 000049
【図４８】
2019207228.tif 000050
【図４９】
2019207228.tif 000051
【図５０】
2019207228.tif 000052
【外国語明細書】
2019207228000001.pdf